(57)【要約】      （修正有）【課題】簡易な構成で配管取付作業時のバンド抱持部からの配管用断熱材の脱落を防止することが可能な断熱配管支持具を提供する。【解決手段】配管Ｐをバンド抱持部２１により抱持支持する配管支持具２と、前記バンド抱持部と配管との間に介在することにより抱持する配管を断熱状態で抱持支持する合成樹脂発泡体製の配管用断熱材３と、を有して成る断熱配管支持具１において、前記バンド抱持部には、複数の透孔が円環方向に間隔を空けて形成されており、この複数の透孔から選択される１つ又は複数に、固定部材４を挿通してバンド抱持部の内側の前記配管用断熱材に突き刺すことにより前記配管用断熱材をバンド抱持部に固定する構成であることを特徴とする。【選択図】図１
2020139533.tif 000002
【特許請求の範囲】
【請求項１】
配管をバンド抱持部により抱持支持する配管支持具と、前記バンド抱持部と配管との間に介在することにより抱持する配管を断熱状態で抱持支持する合成樹脂発泡体製の配管用断熱材と、を有して成る断熱配管支持具において、
前記バンド抱持部には、複数の透孔が円環方向に間隔を空けて形成されており、
この複数の透孔から選択される１つ又は複数に、固定部材を挿通してバンド抱持部の内側の前記配管用断熱材に突き刺すことにより前記配管用断熱材をバンド抱持部に固定する構成であることを特徴とする断熱配管支持具。
【請求項２】
前記固定部材が、先端先鋭状の鋲・釘・木ネジ・テクスネジ・タッピングネジ・タッカー針・針・まち針・シルクピン・虫ピンのいずれかであることを特徴とする請求項１に記載の断熱配管支持具。
【請求項３】
前記配管用断熱材が、配管軸方向から正面視した際に中央に配管抱持用の空間部を有する略ドーナツ状であり、このドーナツ状の少なくとも２箇所に分割線を有する少なくとも２部材以上から成る構成であることを特徴とする請求項１又は２に記載の断熱配管支持具。
【請求項４】
前記配管用断熱材が、配管軸方向から正面視した際に扇面形状を有する２つの円弧状部材を接合することにより略ドーナツ状と成る２部材構成であることを特徴とする請求項３に記載の断熱配管支持具。
【請求項５】
前記配管支持具が、バンド抱持部の端部に連設されたバンド端部を有し、該バンド端部を吊りボルトの如き支持部材に取付固定することにより天井面の如き取付面に支持固定することが可能な配管吊下支持具であることを特徴とする請求項１〜４のいずれかに記載の断熱配管支持具。
【請求項６】
前記配管支持具が、略Ω字状のバンド抱持部の両端部に連設されたバンド端部を有し、該バンド端部を壁面や床面に固定することが可能なフロアバンドであることを特徴とする請求項１〜４のいずれかに記載の断熱配管支持具。
【発明の詳細な説明】
【技術分野】
【０００１】
本発明は断熱配管支持具に関し、詳しくは冷水管・温水管を断熱状態で抱持支持する断熱配管支持具に関する。
【背景技術】
【０００２】
冷水管・温水管を断熱状態で抱持支持するために配管支持具のバンド抱持部と配管との間に発砲合成樹脂製の配管用断熱材を介在させる構成の断熱配管支持具が知られている（例えば、特許文献１、２等参照）。
【０００３】
特許文献１に記載の技術は、取付作業時に配管支持具のバンド抱持部から配管用断熱材が脱落することのないように手指で押さえながら配管作業を行うことができるようにするために、２個一対の配管用断熱材の各々の外周面の斜め下部をバンド抱持部の内周面に予め接着した構成を有するものである。
【０００４】
特許文献２に記載の技術は、２個一対の配管用断熱材の各々の外周面に凹部を円環方向に形成することにより、この凹部に配管支持具のバンド抱持部が入り込ませることにより配管軸方向への位置ズレや脱落を抑制する構成を有するものである。
【先行技術文献】
【特許文献】
【０００５】
【特許文献１】特開平１１−０９４１３３号
【特許文献２】特開２００２−１３９１９４号
【発明の概要】
【発明が解決しようとする課題】
【０００６】
特許文献１の技術では、接着部分であるバンド抱持部の内周面と配管用断熱材の外周面とは共に曲面であることから、接着部分の形状は直線状の極めて狭い範囲となっているため接着力が弱くなりバンド抱持部に対する配管用断熱材の結合保持が不充分であるという問題点を有している。
【０００７】
更に、配管取付作業時に配管を抱持支持させるためにバンド抱持部を拡開するが、この際にバンド抱持部の内周面と配管用断熱材の外周面との当接箇所は拡開に応じて変化してしまうため接着部分の剥離が生じる。施工現場は概ね煩雑で埃等が舞い易いことから、バンド抱持部と配管用断熱材の剥離により露出した接着部分に塵埃等が付着し易くなり、接着力低下乃至は接着不能が生じ易いという問題点を有している。
【０００８】
特許文献２の技術では、配管取付作業時の配管軸方向への位置ズレや脱落を抑制することはできるが手指で押さえながらの作業は必須であるため作業性が良好であるとは言い難いという問題点を有している。
また、配管用断熱材の外周面の凹部は、該凹部に入り込むバンド抱持部の幅に合わせて加工する必要があり、しかも施工の用いる配管支持具の製造メーカー毎に異なるバンド抱持部の幅に合わせる必要があるため、加工に手間がかかりコスト高になるという問題点を有している。
【０００９】
そこで本発明の課題は、簡易な構成で配管取付作業時のバンド抱持部からの配管用断熱材の脱落を防止することが可能な断熱配管支持具を提供することにある。
【課題を解決するための手段】
【００１０】
上記課題を解決する本発明は下記構成を有する。
【００１１】
１．配管をバンド抱持部により抱持支持する配管支持具と、前記バンド抱持部と配管との間に介在することにより抱持する配管を断熱状態で抱持支持する合成樹脂発泡体製の配管用断熱材と、を有して成る断熱配管支持具において、
前記バンド抱持部には、複数の透孔が円環方向に間隔を空けて形成されており、
この複数の透孔から選択される１つ又は複数に、固定部材を挿通してバンド抱持部の内側の前記配管用断熱材に突き刺すことにより前記配管用断熱材をバンド抱持部に固定する構成であることを特徴とする断熱配管支持具。
【００１２】
２．前記固定部材が、先端先鋭状の鋲・釘・木ネジ・テクスネジ・タッピングネジ・タッカー針・針・まち針・シルクピン・虫ピンのいずれかであることを特徴とする上記１に記載の断熱配管支持具。
【００１３】
３．前記配管用断熱材が、配管軸方向から正面視した際に中央に配管抱持用の空間部を有する略ドーナツ状であり、このドーナツ状の少なくとも２箇所に分割線を有する少なくとも２部材以上から成る構成であることを特徴とする上記１又は２に記載の断熱配管支持具。
【００１４】
４．前記配管用断熱材が、配管軸方向から正面視した際に扇面形状を有する２つの円弧状部材を接合することにより略ドーナツ状と成る２部材構成であることを特徴とする上記３に記載の断熱配管支持具。
【００１５】
５．前記配管支持具が、バンド抱持部の端部に連設されたバンド端部を有し、該バンド端部を吊りボルトの如き支持部材に取付固定することにより天井面の如き取付面に支持固定することが可能な配管吊下支持具であることを特徴とする上記１〜４のいずれかに記載の断熱配管支持具。
【００１６】
６．前記配管支持具が、略Ω字状のバンド抱持部の両端部に連設されたバンド端部を有し、該バンド端部を壁面や床面に固定することが可能なフロアバンドであることを特徴とする上記１〜４のいずれかに記載の断熱配管支持具。
【発明の効果】
【００１７】
請求項１に示す発明によれば、簡易な構成で配管取付作業時のバンド抱持部からの配管用断熱材の脱落を防止することが可能な断熱配管支持具を提供することができる。
【００１８】
特に、バンド抱持部の形成された透孔に挿通した固定部材を配管用断熱材に突き刺すことによって配管用断熱材をバンド抱持部に極めて簡易に固定することができる。従って、配管取付作業時に手指で押さえることなく配管用断熱材をバンド抱持部に抱持させた状態の作業が可能となるので良好な作業性を得ることができる。しかも、配管支持具は一般に広く用いられている基本構成のものに透孔を穿つだけで得ることができ、これに簡易な構成の固定部材を用いるだけの構成であるので低コストで提供することができる。
また、配管用断熱材は、外周面に凹部を形成する等の加工を施すことなくそのまま用いることができる。従って、配管径等の設計仕様に基づいた規格のものを用いることができる。
更に、固定部材によって配管用断熱材がバンド抱持部に固定されているので、振動（震動）によってバンド抱持部を抱持状態で閉塞固定しているバンド端部のボルト・ナット等の緊締部材が緩んだ場合であっても該配管用断熱材が擦れ動いて位置ズレが生じてしまうのを防止することができる。
【００１９】
請求項２に示す発明によれば、固定部材が施工資材として調達が容易で且つ低価格である、鋲・釘・木ネジ・テクスネジ・タッピングネジ・タッカー針・針・まち針・シルクピン・虫ピンを用いているため極めて低コストである。
【００２０】
請求項３、４に示す発明によれば、冷水管・温水管の断熱配管支持に用いられる合成樹脂発泡体製の配管用断熱材として一般的なものを用いることができる。
【００２１】
請求項５に示す発明によれば、断熱配管支持に最も多く採用されている配管吊下支持具に特段の制約無く適用することができる。
【００２２】
請求項６に示す発明によれば、断熱配管支持に多く採用されているフロアバンドに特段の制約無く適用することができる。
【図面の簡単な説明】
【００２３】
【図１】本発明に係る断熱配管支持具の使用状態の一例を示す概略正面図（配管軸方向から見た図）
【図２】図１に示す断熱配管支持具の配管支持具を示す５面図（正面図、平面図、底面図、左側面図、Ａ−Ａ線断面図）
【図３】固定部材による固定状態を示す要部概略説明図
【図４】本発明に係る断熱配管支持具の他の実施例を示す概略正面図（配管軸方向から見た図）
【発明を実施するための形態】
【００２４】
次に、添付の図面に従って本発明を実施例に基づき詳細に説明する。
【００２５】
本発明に係る断熱配管支持具は、冷水管・温水管を断熱状態で抱持支持するために配管支持具のバンド抱持部と配管との間に発砲合成樹脂製の配管用断熱材を介在させた状態で配管支持するものである。配管支持具の形式としては、天井面の如き取付面から垂設される吊りボルトに取付けられることによって冷水管・温水管等の配管類を吊下支持する吊下支持具や、床面や壁面に立設状態で取り付けることにより、床面や壁面に沿って配管される冷水管・温水管等の配管類を立設支持する立配管具やフロアバンド等に適用することができる。
【００２６】
本発明の断熱配管支持具１の具体的構成としては、図１〜図３に示すように、
配管Ｐをバンド抱持部２１により抱持支持する配管支持具２と、前記バンド抱持部２１と配管Ｐとの間に介在することにより抱持する配管Ｐを断熱状態で抱持支持する合成樹脂発泡体製の配管用断熱材３と、を有して成る構成において、
前記バンド抱持部２１（本実施例では左右一対から成る構成）には、複数（本実施例では左６個と右６個の計１２個）の透孔２１Ａが円環方向に間隔を空けて形成されており、
この複数の透孔２１Ａから選択される１つ又は複数（本実施例では左１個と右１個の計２個の各々）に、固定部材４を挿通してバンド抱持部２１の内側の前記配管用断熱材３に突き刺すことにより前記配管用断熱材３をバンド抱持部２１に固定する構成であること、
を主構成とするものである。
【００２７】
本実施例において用いられる配管支持具２は、バンド抱持部２１の端部に連設されたバンド端部２３を有し、該バンド端部２３を吊りボルト６の如き支持部材に、タンバックルの如き吊下接続部材６１を介して取付固定することにより天井面の如き取付面５に支持固定することが可能な配管吊下支持具である。
【００２８】
尚、図１において、符号２４は吊下接続部材６１にバンド端部２３を接続固定するためのボルト・ナットを示し、符号２２はのバンド抱持部２１の下端部分を接続する組式又は蝶番式（本実施例では蝶番式）の如き接続部を示す。接続部２２は、蝶番式に代えて組式であってもよいし、或いは、バンド抱持部２１を接続部２２の無い１本構成とした所謂提灯式の配管支持具等の公知公用のものを用いてもよい。
【００２９】
以下、本発明の構成について更に詳説する。
【００３０】
本発明の断熱配管支持具１の構成部材である配管支持具１の基本的構成は、この種の配管支持具に用いられる材料として公知公用のものを特別の制限なく用いることができ、好ましくはステンレスやその他の金属製、或いはＡＢＳ樹脂やポリプロピレンに代表される合成樹脂製である。
【００３１】
バンド抱持部２１に形成される透孔２１Ａは、丸孔、矩形孔、長円孔、長方形孔のいずれかであることが好ましく、図１及び図２に示す本実施例では丸孔構成を有している。透孔２１Ａの形状については、固定部材４の挿通部分の断面形状（丸棒形状、角棒形状、平板形状等）に応じて最適な形状が選択されることが好ましい。
【００３２】
配管用断熱材３は、この種の冷水管・温水管を断熱状態で抱持支持する際に配管支持具２と配管Ｐとの間に介在する配管用断熱材として公知公用のものを特別の制限なく用いることができる。図１に示す本実施例では、配管軸方向から正面視した際に中央に配管抱持用の空間部を有する略ドーナツ状であり、このドーナツ状の少なくとも２箇所（本実施例では２箇所）に分割線を有する２部材から成り、配管軸方向から正面視した際に扇面形状を有する２つの円弧状部材を接合することにより略ドーナツ状と成る構成のものを用いている。
【００３３】
固定部材４は、バンド抱持部２１の透孔２１Ａに挿通可能であって、該バンド抱持部２１の内側の配管用断熱材３に突き刺すことで固定可能な構成を有するものであり、具体的構成としては、先端先鋭状の鋲・釘・木ネジ・テクスネジ・タッピングネジ・タッカー針・針・まち針・シルクピン・虫ピンのいずれかであることが好ましい。これらの構成を有する固定部材４は施工資材として調達が容易で且つ低価格であるので特に好ましい。尚、図１に示す実施例では固定部材４として鋲を用いている。
【００３４】
固定部材４によるバンド抱持部２１への配管用断熱材３の固定構成としては、例えば、図３に示すように、バンド抱持部２１の外側から固定部材４を透孔２１Ａに挿通することによりバンド抱持部２１の内側に当接している配管用断熱材３に突き刺すことにより該配管用断熱材３をバンド抱持部２１に極めて容易に簡易な構成によって取付固定することができる。従って、配管取付作業時に手指で押さえることなく配管用断熱材３をバンド抱持部２１に抱持させた状態の作業が可能となるので良好な作業性を得ることができる。
【００３５】
以上、本発明に係る断熱配管支持具の実施例について説明したが、本発明は上記構成に限定されず、本発明の範囲内において種々の態様を採ることができる。
【００３６】
図１に示す上記実施例では天井面の如き取付面５に吊りボルト６を介して吊下支持した構成を示したが、本発明はかかる態様に限定されず、例えば、図４に示すように、配管支持具２が略Ω字状のバンド抱持部２１の両端部に連設されたバンド端部２３を有し、該バンド端部２３を壁面や床面に固定することが可能なフロアバンド構成にも適用することができる。
【符号の説明】
【００３７】
１  断熱配管支持具
２  配管支持具
２１  バンド抱持部
２１Ａ  透孔
２２  接続部
２３  バンド端部
２４  ボルト・ナット
３  配管用断熱材
４  固定部材
５  取付面
６  吊りボルト
６１  吊下接続部材
Ｐ  配管
【図１】
2020139533.tif 000003
【図２】
2020139533.tif 000004
【図３】
2020139533.tif 000005
【図４】
2020139533.tif 000006